(57)【特許請求の範囲】
【請求項１】
基板の上に、
複数の画素電極と、
前記複数の画素電極が設けられた画素領域に配置された複数の走査線と、
前記画素領域に設けられ、前記複数の走査線の各々に交差する複数のデータ線と、
前記画素領域の周辺に位置する周辺領域に配置され、前記複数のデータ線の各々に１つずつ接続され、前記複数のデータ線のうちのＮ本（但し、Ｎは２以上の整数）を一群とするデータ線群に属する前記Ｎ本のデータ線をＮ系列の選択信号に基づいて互いに異なるタイミングで夫々選択して前記複数のデータ線の各々に画像信号を供給する複数の選択スイッチと、
前記周辺領域に前記走査線が延びる第１方向に沿って配置され、前記Ｎ系列の選択信号のいずれかが供給されるＮ本の選択信号供給線と、
前記複数の選択スイッチのいずれかのゲート及び前記Ｎ本の選択信号供給線のいずれか一本に電気的に接続されると共に、前記第１方向に交わる第２方向に沿って延びる第１ゲート配線部分を夫々有する複数のゲート配線と、
複数配置された前記データ線群の各々に対応するＮ個の選択スイッチの各々のソースに電気的に接続され、前記第２方向に沿って延びると共に前記第１ゲート配線部分よりも広い配線幅で形成された画像信号線部分を夫々有する複数の画像信号線と、
を備え、
前記複数の選択スイッチの各々はトランジスタであり、
前記複数のゲート配線の各々は、さらに前記第１ゲート配線部分に前記Ｎ系列の選択信号のいずれかを供給する中継層及び第２ゲート配線部分を有し、
前記第１ゲート配線部分は、第１絶縁層に開口された第１コンタクトホールを介して前記中継層に電気的に接続され、前記中継層は、前記第１絶縁層を介して前記基板に対向するように配置される第２絶縁層に開口された第２コンタクトホールを介して前記第２ゲート配線部分に電気的に接続され、前記第２ゲート配線部分は、前記第２絶縁層に開口された第３コンタクトホールを介して前記Ｎ本の選択信号供給線のいずれか一本に電気的に接続されることを特徴とする電気光学装置。
【請求項２】
前記複数の画像信号線の各々は、さらに前記画像信号線部分から前記ソースに前記画像信号を供給するソース配線を有し、
前記ソース配線は、前記第２絶縁層に開口された第４コンタクトホールを介して前記画像信号線部分に電気的に接続されることを特徴とする請求項１に記載の電気光学装置。
【請求項３】
前記中継層、前記Ｎ本の選択信号供給線、及び前記ソース配線と、前記第１ゲート配線部分との間には、前記前記第１絶縁層が配置され、
前記第２ゲート配線部分及び前記画像信号線部分と、前記中継層との間には、前記第２絶縁層が配置されることを特徴とする請求項１または２に記載の電気光学装置。
【請求項４】
請求項１乃至３のいずれかに記載の電気光学装置を具備してなることを特徴とする電子機器。
【発明の詳細な説明】
【技術分野】
【０００１】
本発明は、例えば液晶装置等の電気光学装置、及び該電気光学装置を備えた、例えば液晶プロジェクタ等の電子機器の技術分野に関する。
【背景技術】
【０００２】
この種の電気光学装置では、例えば特許文献１に開示されているように、複数のデータ線をＮ本（但し、Ｎは２以上の整数）のデータ線を一群とするデータ線群毎に駆動するために、各データ線に選択スイッチが設けられる。各選択スイッチは選択信号に基づいて、データ線群毎に画像信号を供給する。なお、特許文献１では、データ線群毎に、これに対応する選択スイッチの各々のソースに電気的に接続されるソース側配線について、各々の配線幅を互いに同等にする技術が開示されている。
【０００３】
ここに、Ｎ本のデータ線に供給すべき画像信号を時分割で入力すると共に、時分割でＮ本のデータ線を選択して供給する駆動方式（即ち、デマルチプレクサ方式或いはハイブリッド方式）が採用されることがある。このようなデマルチプレクサ方式が採用された電気光学装置では、画像信号線から供給される画像信号が、複数の選択スイッチに入力される。各データ線群においてＮ本のデータ線は夫々Ｎ系列の選択信号のいずれかに基づいて選択スイッチにより選択され、画像信号が供給される。
【０００４】
【特許文献１】特開平５−３０７１６５号公報
【発明の開示】
【発明が解決しようとする課題】
【０００５】
しかしながら、ハイブリッド方式により駆動される電気光学装置では、Ｎ系列の選択信号により駆動される各選択スイッチでは、ソースに接続された配線においてＮ系列の各系列毎にノイズが画像信号に生じることがある。このような画像信号が選択スイッチからデータ線に供給されることにより、Ｎ系列の各系列毎のデータ線に沿う縦方向のスジ状のムラ（以下、このようなスジ状のムラを「系列スジ」と称して説明することがある）が表示画面上で発生し、視認されるおそれがある。その結果、電気光学装置における表示品位が劣化するという問題点が生じる。
【０００６】
本発明は、例えば上記問題点に鑑みなされたものであり、系列スジを低減することができ、高品質な画像を表示可能な電気光学装置及び該電気光学装置を備えた電子機器を提供することを課題とする。
【課題を解決するための手段】
【０００７】
本発明の一態様の電気光学装置は、基板の上に、複数の画素電極と、前記複数の画素電極が設けられた画素領域に配置された複数の走査線と、前記画素領域に設けられ、前記複数の走査線の各々に交差する複数のデータ線と、前記画素領域の周辺に位置する周辺領域に配置され、前記複数のデータ線の各々に１つずつ接続され、前記複数のデータ線のうちのＮ本（但し、Ｎは２以上の整数）を一群とするデータ線群に属する前記Ｎ本のデータ線をＮ系列の選択信号に基づいて互いに異なるタイミングで夫々選択して前記複数のデータ線の各々に画像信号を供給する複数の選択スイッチと、前記周辺領域に前記走査線が延びる第１方向に沿って配置され、前記Ｎ系列の選択信号のいずれかが供給されるＮ本の選択信号供給線と、前記複数の選択スイッチのいずれかのゲート及び前記Ｎ本の選択信号供給線のいずれか一本に電気的に接続されると共に、前記第１方向に交わる第２方向に沿って延びる第１ゲート配線部分を夫々有する複数のゲート配線と、複数配置された前記データ線群の各々に対応するＮ個の選択スイッチの各々のソースに電気的に接続され、前記第２方向に沿って延びると共に前記第１ゲート配線部分よりも広い配線幅で形成された画像信号線部分を夫々有する複数の画像信号線と、を備え、前記複数の選択スイッチの各々はトランジスタであり、前記複数のゲート配線の各々は、さらに前記第１ゲート配線部分に前記Ｎ系列の選択信号のいずれかを供給する中継層及び第２ゲート配線部分を有し、前記第１ゲート配線部分は、第１絶縁層に開口された第１コンタクトホールを介して前記中継層に電気的に接続され、前記中継層は、前記第１絶縁層を介して前記基板に対向するように配置される第２絶縁層に開口された第２コンタクトホールを介して前記第２ゲート配線部分に電気的に接続され、前記第２ゲート配線部分は、前記第２絶縁層に開口された第３コンタクトホールを介して前記Ｎ本の選択信号供給線のいずれか一本に電気的に接続されることを特徴とする。
また、本発明の別の一態様の電気光学装置は、前記複数の画像信号線の各々は、さらに前記画像信号線部分から前記ソースに前記画像信号を供給するソース配線を有し、
前記ソース配線は、前記第２絶縁層に開口された第４コンタクトホールを介して前記画像信号線部分に電気的に接続されることを特徴とする。
また、本発明のさらに別の一態様の電気光学装置は、前記中継層、前記Ｎ本の選択信号供給線、及び前記ソース配線と、前記第１ゲート配線部分との間には、前記前記第１絶縁層が配置され、前記第２ゲート配線部分及び前記画像信号線部分と、前記中継層との間には、前記第２絶縁層が配置されることを特徴とする。
上記の本発明に係る電気光学装置は、基板上に、複数の画素電極と、該複数の画素電極が設けられた画素領域で互いに交差する複数の走査線及び複数のデータ線と、前記画素領域の周辺に位置する周辺領域に前記データ線毎に１つずつ設けられると共にトランジスタから夫々なり、Ｎ本（但し、Ｎは２以上の整数）の前記データ線を一群とするデータ線群毎に、Ｎ系列の選択信号に基づいて前記データ線群に属するＮ本のデータ線を互いに異なるタイミングで夫々選択して画像信号を出力する複数の選択スイッチと、前記周辺領域に前記走査線が延びる第１方向に沿って形成され、前記選択信号を前記Ｎ系列の各系列毎に供給するＮ本の選択信号供給線と、前記選択スイッチのゲート及び前記Ｎ本の選択信号供給線のうち対応する一本の選択信号供給線に電気的に接続されると共に、前記第１方向に交わる第２方向に沿って延びるゲート配線部分を夫々有する複数のゲート配線と、前記データ線群に対応するＮ個の前記選択スイッチ毎に設けられ、且つ、前記Ｎ個の選択スイッチの各々のソースに電気的に接続され、前記第２方向に沿って延びると共に前記ゲート配線部分よりも広い配線幅で形成された画像信号線部分を夫々有する複数の画像信号線とを備える。
【０００８】
本発明の電気光学装置によれば、その動作時には、外部に設けられた例えば画像信号供給回路から例えば画像信号端子を介して画像信号線に画像信号が供給される。画像信号線に供給された画像信号は複数の選択スイッチに対して、データ線群に対応する数、即ちＮ個の選択スイッチ毎に供給される。複数の選択スイッチはＮ系列の選択信号に基づいて夫々駆動され、各系列毎にデータ線を選択して画像信号を供給する。これにより、各データ線群について、Ｎ個の選択スイッチからＮ系列の選択信号に基づいてＮ本のデータ線の各々に対して画像信号が供給され、対応する画素に入力される。これと共に、例えば走査線駆動回路から走査線を介して走査信号が各画素に供給される。画素毎に設けられた例えば画素スイッチング用トランジスタは、走査信号に応じて画像信号を画素電極へ選択的に供給する。その結果、電気光学装置においてアクティブマトリクス駆動が行われる。
【０００９】
本発明の電気光学装置では、Ｎ系列の選択信号が供給されるＮ本の選択信号供給線が第１方向（言い換えれば、Ｘ方向）に沿って設けられており、各選択スイッチのゲートには、Ｎ系列の各系列毎に選択信号供給線からゲート配線部分を介して選択信号が供給される。ゲート配線部分は、第１方向に沿って設けられた選択信号供給線から分岐されて、第２方向（即ち、第１方向に交わる方向、言い換えれば、Ｙ方向）に沿って延びるように形成される。各選択スイッチのソースには、対応する画像信号線の一部を構成する画像信号線部分から画像信号が供給される。画像信号線部分は、第２方向に沿って延びるように形成される。ここで、典型的には、同一の選択スイッチに夫々電気的に接続されるゲート配線部分及び画像信号線部分は、少なくとも部分的に隣り合う。尚、複数の画像信号線は夫々、データ線群に対応するＮ個の選択スイッチ毎に画像信号を供給する。
【００１０】
本発明では特に、画像信号線部分は、ゲート配線部分よりも広い配線幅で形成される。よって、例えば、仮に画像信号線部分をゲート配線部分と同等の幅で形成する場合と比較して、画像信号線部分の配線抵抗をより低くすることが可能となる。
【００１１】
例えば、仮に、何らの対策も施さず、各選択スイッチについてゲート配線部分及び画像信号線部分が互いに近接するように配置された場合、ゲート配線部分との間の電気的な悪影響により、画像信号線部分における画像信号に各系列毎にノイズが発生するおそれがある。しかるに本発明によれば、画像信号線部分の配線抵抗を上述したようにより低くすることができるため、ゲート配線部分との間の電気的な悪影響をより低減することが可能となる。言い換えれば、本発明によれば、画像信号線部分は、ゲート配線部分よりも広い配線幅を有するので、選択信号が供給されることによりゲート配線部分の電位が変動するのに伴って、画像信号線部分の電位が変動してしまうのを抑制或いは防止することができる。よって、画像信号線部分における画像信号のノイズをより低減することができ、表示画面において顕著に視認されない程度に系列スジを低減する或いは実践上無くすことが可能となる。
【００１２】
従って、以上説明したような本発明の電気光学装置によれば、高品質な画像を表示することが可能となる。
【００１３】
本発明の電気光学装置の一の態様では、前記画像信号線部分は、前記ゲート配線部分と互いに同一層に配置される。
【００１４】
この態様によれば、各選択スイッチについて、ゲート配線部分及び画像信号線部分が互いに同一層に位置し、互いに近接する場合に、画像信号線部分におけるゲート配線部分との間の電気的な悪影響をより低減することが可能となる。
【００１５】
本発明の電子機器は上記課題を解決するために、上述した本発明の電気光学装置（但し、その各種態様も含む）を具備する。
【００１６】
本発明の電子機器によれば、上述した本発明に係る電気光学装置を具備してなるので、表示画面上の系列スジを低減することができる。よって、高品質な表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置等も実現することも可能である。
【００１７】
本発明の作用及び他の利得は次に説明する実施するための最良の形態から明らかにされる。
【発明を実施するための最良の形態】
【００１８】
以下では、本発明の実施形態について図を参照しつつ説明する。以下の実施形態では、本発明の電気光学装置の一例であるアクティブマトリクス駆動方式の液晶装置を例にとる。
【００１９】
先ず、本実施形態に係る液晶装置の全体構成について、図１及び図２を参照して説明する。ここに図１は、本実施形態に係る液晶装置の全体構成を示す平面図であり、図２は、図１のＨ−Ｈ´線での断面図である。
【００２０】
図１及び図２において、本実施形態に係る液晶装置１００では、素子基板１０と対向基板２０とが対向配置されている。素子基板１０と対向基板２０との間に液晶層５０が封入されており、素子基板１０と対向基板２０とは、本発明に係る「画素領域」の一例としての画像表示領域１０ａの周囲に位置するシール領域に設けられたシール材５２により相互に接着されている。シール材５２は、両基板を貼り合わせるための、紫外線硬化樹脂からなり、製造プロセスにおいて素子基板１０上に塗布された後、紫外線照射により硬化させられたものである。また、シール材５２中には、素子基板１０と対向基板２０との間隔（基板間ギャップ）を所定値とするためのグラスファイバ或いはガラスビーズ等のギャップ材（図示せず）が散布されている。
【００２１】
図１において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、画像信号が供給される画像信号端子を含む外部回路接続端子１０２が素子基板１０の一辺に沿って設けられている。この一辺に沿ったシール領域よりも内側にデマルチプレクサ７が額縁遮光膜５３に覆われるようにして設けられている。また、走査線駆動回路１０４は、この一辺に隣接する２辺に沿ったシール領域の内側に、額縁遮光膜５３に覆われるようにして設けられている。また、素子基板１０上には、対向基板２０の４つのコーナー部に対向する領域に、両基板間を上下導通材１０７で接続するための上下導通端子１０６が配置されている。これらにより、素子基板１０と対向基板２０との間で電気的な導通をとることができる。
【００２２】
素子基板１０上には、外部回路接続端子１０２と、デマルチプレクサ７、走査線駆動回路１０４、上下導通端子１０６等とを電気的に接続するための引回配線９０が形成されている。
【００２３】
図２において、素子基板１０上には、駆動素子である画素スイッチング用ＴＦＴや走査線、データ線等の配線が作り込まれた積層構造が形成される。画像表示領域１０ａには、画素スイッチング用ＴＦＴや走査線、データ線等の配線の上層に画素電極９ａが設けられている。画素電極９ａ上には、配向膜（図示せず）が形成されている。他方、対向基板２０における素子基板１０との対向面上に、遮光膜２３が形成されている。そして、遮光膜２３上に、ＩＴＯ（Indium Tin Oxide）等の透明材料からなる対向電極２１が複数の画素電極９ａと対向して形成されている。対向電極２１上には配向膜（図示せず）が形成されている。また、液晶層５０は、例えば一種又は数種類のネマティック液晶を混合した液晶からなり、これら一対の配向膜間で、所定の配向状態をとる。
【００２４】
尚、ここでは図示しないが、素子基板１０上には、デマルチプレクサ７、走査線駆動回路１０４の他に、製造途中や出荷時の当該液晶装置の品質、欠陥等を検査するための検査回路、検査用パターン等が形成されていてもよい。
【００２５】
次に、本実施形態に係る液晶装置の電気的な構成について、図３を参照して説明する。ここに図３は、本実施形態に係る液晶装置の電気的な構成を示す回路図である。
【００２６】
図３において、液晶装置１００は、素子基板１０上に、デマルチプレクサ７及び走査線駆動回路１０４を備えている。素子基板１０上の外部回路接続端子１０２のうち画像信号端子１０２ｖに外部回路としての画像信号供給回路４００が電気的に接続されている。
【００２７】
素子基板１０上の画像表示領域１０ａには、３２０行の走査線１１ａが行方向（即ち、Ｘ方向）に延在するように設けられ、また、４本を一群として各データ線群６ａｇにグループ化された４８０（＝１２０×４）列のデータ線６ａが列方向（即ち、Ｙ方向）に延在するように、且つ、各走査線１１ａと互いに電気的な絶縁を保つように、設けられている。尚、走査線１１ａ及びデータ線６ａの本数はそれぞれ３２０本及び４８０本に限定されるものではない。各データ線群６ａｇを構成するデータ線数は、本実施形態では「４」としたが、「２」以上であればよい。
【００２８】
画素電極９ａは、３２０本の走査線１１ａと４８０本のデータ線６ａとの交差部に対応して、それぞれ配列されている。従って、本実施形態では、画素電極９ａは、縦３２０行×横４８０列で、所定の画素ピッチでマトリクス状に配列することになる。尚、ここでは図示しないが、各画素電極９ａとデータ線６ａとの間には、走査線１１ａを介して夫々供給される走査信号に応じて夫々の導通状態及び非導通状態が制御される画素スイッチング用ＴＦＴや、画素電極９ａに印加した電圧を長く維持する蓄積容量のための容量配線が形成されている。
【００２９】
ここで本実施形態では、データ線群６ａｇを構成する４列のデータ線６ａを区別するために、左から順にそれぞれａ、ｂ、ｃ、ｄ系列と呼ぶ場合がある。詳細には、ａ系列とは１、５、９、…、４７７列目のデータ線６ａであり、ｂ系列とは２、６、１０、…、４７８列目のデータ線６ａであり、ｃ系列とは３、７、１１、…、４７９列目のデータ線６ａであり、ｄ系列とは４、８、１２、…、４８０列目のデータ線６ａである。
【００３０】
図３において、走査線駆動回路１０４は、１、２、３、…、３２０行目の走査線１１ａに、走査信号Ｇ１、Ｇ２、Ｇ３、…、Ｇ３２０を供給する。詳細には、走査線駆動回路１０４は、１フレームの期間にわたって１、２、３、…、３２０行目の走査線１１ａを順番に選択するとともに、選択した走査線への走査信号を選択電圧に相当するＨレベルとし、それ以外の走査線への走査信号を非選択電圧に相当するＬレベルとする。
【００３１】
画像信号供給回路４００は、素子基板１０とは別体構成であり、表示動作の際には、画像信号端子１０２ｖを介して素子基板１０と電気的に接続される。画像信号供給回路４００は、走査線駆動回路１０４によって選択された走査線１１ａと、各データ線群６ａｇに属する４列のデータ線６ａのうち、デマルチプレクサ７によって選ばれるデータ線６ａとに対応する画素電極９ａに対し、当該画素電極９ａが含まれる画素の階調に応じた電圧の画像信号ＶＩＤｉ（ｉ＝１、・・・、１２０）を出力する。画像信号供給回路４００から画像信号端子１０２ｖに供給された画像信号ＶＩＤｉは、画像信号線３００を介してデマルチプレクサ７へ供給される。
【００３２】
尚、本実施形態では、上述したように、データ線６ａの列数は「４８０」であり、これらが４列毎にグループ化されているので、画像信号端子１０２ｖの個数は「１２０」である。
【００３３】
デマルチプレクサ７は、データ線６ａ毎に設けられた、本発明に係る「複数の選択スイッチ」の一例としての複数のトランジスタ７１を含んで構成されている。
【００３４】
ここで、図３に加えて図４を参照してトランジスタ７１の構成についてより詳細に説明する。図４は、デマルチプレクサにおける一のデータ線群に対応するトランジスタに着目して、その構成をより詳細に示す回路図である。
【００３５】
図３及び図４において、図３中、画像信号ＶＩＤ１〜ＶＩＤ１２０に対応する１番目から１２０番目のデータ線群６ａｇのうち、ｍ番目（但し、ｍは１以上１２０以下の整数）のデータ線群６ａｇに着目すれば、図４において、トランジスタ７１は例えばｎチャネル型であり、各ドレインはドレイン配線７０５を介してデータ線６ａの一端に電気的に接続されている。
【００３６】
データ線群６ａｇに属するデータ線６ａに対応する４個のトランジスタ７１のソースは、各々のソース配線７０３を介してデータ線群６ａｇに対応する画像信号線３００と共通接続されている。即ち、ｍ番目のデータ線群６ａｇは、ａ系列の（４ｍ−３）列目、ｂ系列の（４ｍ−２）列目、ｃ系列の（４ｍ−１）列目およびｄ系列の（４ｍ）列目のデータ線６ａから構成される。これら４列のデータ線６ａに対応するトランジスタ７１のソースは夫々、ソース配線７０３が共通に電気的に接続されて、画像信号ＶＩＤ（ｍ）が供給される。
【００３７】
ここに、図３に示す画像信号線３００は、図４において例えば、画像信号ＶＩＤ（ｍ）が入力される画像信号入力線３１０と、画像信号入力線３１０に対して、４列のデータ線６ａに対応するトランジスタ７１の各々のソース配線７０３を共通接続するための引出配線３２０とが電気的に接続されてなる。引出配線３２０は、後述するように４個のトランジスタ７１のソース配線７０３との接続のため、トランジスタ７１に向けて夫々分岐された４本の画像信号線部分３２０ａ（図５及び図６参照）を有する。
【００３８】
また、素子基板１０上には、ａ系列、ｂ系列、ｃ系列、及びｄ系列のデータ線６ａのいずれかを選択するための４系列の選択信号Ｓｅｌ１〜Ｓｅｌ４が供給される４本の選択信号供給線６が設けられている。４本の選択信号供給線６の各々は、Ｙ方向に沿って延びるように形成されている。４本の選択信号供給線６の各々は、複数のトランジスタ７１に対して、４系列の各系列毎に同一の選択信号が供給されるトランジスタ７１に共通に配線される。
【００３９】
（４ｍ−３）列目のデータ線６ａに対応するトランジスタ７１のゲートには、選択信号Ｓｅｌ１がゲート配線７０１を介して選択信号供給線６から供給され、同様に（４ｍ−２）列目、（４ｍ−１）列目および（４ｍ）列目のデータ線６ａに対応するトランジスタ７１のゲートには、選択信号Ｓｅｌ２、Ｓｅｌ３およびＳｅｌ４が供給される。尚、選択信号Ｓｅｌ１、Ｓｅｌ２、Ｓｅｌ３及びＳｅｌ４は、図示しない外部回路としてのタイミング制御回路から外部回路接続端子１０２を介して供給される。４本の選択信号供給線６の各々は、対応する外部回路接続端子１０２から素子基板１０上に引き回される。
【００４０】
ここで、上述のように構成された液晶装置の動作について、図３を参照して説明する。
【００４１】
走査線駆動回路１０４は、ある１フレーム（第ｎフレーム）の期間にわたって走査信号Ｇ１、…、Ｇ３２０を１水平期間毎に順次排他的にＨレベル（即ち、選択電圧）とする。
【００４２】
ここで、１水平期間では、タイミング制御回路から供給される選択信号Ｓｅｌ１、Ｓｅｌ２、Ｓｅｌ３及びＳｅｌ４は、この順番で排他的にＨレベルとなり、この供給に合わせて画像信号供給回路４００は、画像信号線３００に画像信号ＶＩＤ１、ＶＩＤ２、ＶＩＤ３、…、ＶＩＤ１２０を供給する。ここに、画像信号供給回路４００から出力される、画像信号ＶＩＤ１、ＶＩＤ２、ＶＩＤ３、…、ＶＩＤ１２０は夫々、１、２、３、…、１２０番目のデータ線群６ａｇの各々における、４系列のデータ線６ａに対応して４系列に時系列化されたデータ電圧を有する。デマルチプレクサ７においては、４系列の選択信号Ｓｅｌ１〜Ｓｅｌ４に応じて、複数のトランジスタ７１により画像信号ＶＩＤ１、ＶＩＤ２、ＶＩＤ３、…、ＶＩＤ１２０の各々の時系列化されたデータ電圧は夫々時分割され、以下のように各データ線群６ａｇにおける４系列のデータ線６ａに振り分けられる。
【００４３】
詳細には、画像信号供給回路４００は、ｊ行目の走査信号Ｇｊ（ｉ＝１、・・・、３２０）がＨレベルとなる期間において、選択信号Ｓｅｌ１がＨレベルとなったとき、ｊ行目の走査線１１ａとａ系列のデータ線６ａとの交差に対応する画素の階調に応じた電圧だけ対向電極電位ＬＣＣＯＭに対して高位または低位の画像信号ＶＩＤ１、ＶＩＤ２、ＶＩＤ３、…、ＶＩＤ１２０を、１、２、３、…、１２０番目のデータ線群６ａｇに対応させて一斉に出力する。この際、選択信号Ｓｅｌ１だけがＨレベルであるので、ａ系列のデータ線６ａが選択される（即ち、ａ系列のデータ線６ａに対応するトランジスタ７１だけがオンする）結果、画像信号ＶＩＤ１、ＶＩＤ２、ＶＩＤ３、…、ＶＩＤ１２０は、それぞれａ系列（１、５、９、…、４７７列目）のデータ線６ａに供給される。一方、走査信号ＧｊがＨレベルであると、ｊ行目に位置する画素のすべてにおいて、画素スイッチング用ＴＦＴがオン（導通）状態となるので、ａ系列のデータ線６ａに供給された画像信号ＶＩＤ１、ＶＩＤ２、ＶＩＤ３、…、ＶＩＤ１２０は、それぞれｊ行１列、ｊ行５列、ｊ行９列、…、ｊ行４７７列の画素電極９ａに印加されることになる。
【００４４】
次に、画像信号供給回路４００は、選択信号Ｓｅｌ２がＨレベルとなったとき、今度はｊ行目の走査線１１ａとｂ系列のデータ線６ａとの交差に対応する画素の階調に応じた電圧の画像信号ＶＩＤ１、ＶＩＤ２、ＶＩＤ３、…、ＶＩＤ１２０を、１、２、３、…、１２０番目のデータ線群６ａｇに対応させて一斉に出力する。この際、選択信号Ｓｅｌ２だけがＨレベルであるため、ｂ系列のデータ線６ａが選択される結果、画像信号ＶＩＤ１、ＶＩＤ２、ＶＩＤ３、…、ＶＩＤ１２０は、それぞれｂ系列（２、６、１０、…、４７８列目）のデータ線６ａに供給されて、それぞれｊ行２列、ｊ行６列、ｊ行１０列、…、ｊ行４７８列の画素電極９ａに印加されることになる。
【００４５】
同様に、画像信号供給回路４００は、ｊ行目の走査信号ＧｊがＨレベルとなる期間において、選択信号Ｓｅｌ３がＨレベルとなったときには、ｊ行目の走査線１１ａとｃ系列のデータ線６ａとの交差に対応する画素、選択信号Ｓｅｌ４がＨレベルとなったときには、ｊ行目の走査線１１ａとｄ系列のデータ線６ａとの交差に対応する画素、の階調に応じた電圧の画像信号ＶＩＤ１、ＶＩＤ２、ＶＩＤ３、…、ＶＩＤ１２０を、それぞれ１、２、３、…、１２０番目のデータ線群６ａｇに対応させて一斉に出力し、これにより、ｃ系列（３、７、１１、…、４７９列目）のデータ線６ａに供給されて、それぞれｊ行３列、ｊ行７列、ｊ行１１列、…、ｊ行４７９列の画素電極９ａに印加され、引き続き、ｄ系列（４、８、１２、…、４８０列目）のデータ線６ａに供給されて、それぞれｊ行４列、ｊ行８列、ｊ行１２列、…、ｊ行４８０列の画素電極９ａに印加される。
【００４６】
これにより、ｊ行目の画素に対して、階調に応じた画像信号の電圧を書き込む動作が完了する。尚、画素電極９ａに印加された電圧は、走査信号ＧｊがＬレベルになっても、液晶容量によって次の第（ｎ＋１）フレームの書き込みまで保持されることになる。
【００４７】
次に、図４に示すｍ番目のデータ線群６ａｇに対応する４個のトランジスタ７１の構成の一例について、図５及び図６を参照して説明する。図５は、互いに隣接する２つのトランジスタの構成を示す平面図であり、図６は、図５のＡ−Ａ’断面図である。尚、図５及び図６では、各層・各部材を図面上で認識可能な程度の大きさとするため、該各層・各部材ごとに縮尺を異ならしめてある。また、図６の断面部分では、図５に示す主要な構成要素が夫々配置される層についてのみ着目して、その構成を示してある。
【００４８】
ここに、図４に示す４個のトランジスタ７１は互いに同様の構成を有する。以下では、これら４個のトランジスタ７１のうち、ｍ番目のデータ線群６ａｇにおけるａ系列及びｂ系列のデータ線６ａに対応する２つのトランジスタ７１に着目してその構成をより詳細に説明する。
【００４９】
図５において、２つのトランジスタ７１は半導体層１ａをそれぞれ有している。例えば、半導体層１ａは、ポリシリコン膜からなる。そして、半導体層１ａ上に、トランジスタ７１のゲート電極３ａとして構成される第１ゲート配線部分７０１ａが、図６における最下層に配置されている。第１ゲート配線部分７０１ａは、例えば導電性のポリシリコン膜により形成される。尚、第１ゲート配線部分７０１ａ、及びそれよりも上層側に配置される第２ゲート配線部分７０１ｂから図４に示すゲート配線７０１が構成される。
【００５０】
図５又は図６において、第１ゲート配線７０１ａより絶縁層１２（図６参照）を介して上層側に、例えばアルミニウム（Ａｌ）を含む導電材料又はその他の金属膜によりそれぞれ形成される、中継層４０、選択信号供給線６及びトランジスタ７１のソース配線７０３が設けられる。中継層４０は、絶縁層１２に開口されたコンタクトホール８６を介して第１ゲート配線部分７０１ａと電気的に接続される。また、図４及び図５における画像信号線３００の画像信号入力線３１０、及びトランジスタ７１のドレイン配線７０５も、中継層４０、選択信号供給線６、ソース配線７０３と同一層に配置される。ここで、「同一層」とは、夫々同一の導電材料から形成され、同時にパターニングされた配線等をいう。
【００５１】
図５又は図６において、中継層４０、選択信号供給線６及びソース配線７０３より絶縁層１５（図６参照）を介して上層側に、例えばアルミニウム（Ａｌ）を含む導電材料又はその他の金属膜によりそれぞれ形成される、第２ゲート配線部分７０１ｂ及び画像信号線３００の引出配線３２０が設けられる。尚、第２ゲート配線部分７０１ｂは、本発明に係る「ゲート配線部分」の一例である。第２ゲート配線部分７０１ｂは、絶縁層１５に開口されたコンタクトホール８１及び８３を夫々介して、対応する選択信号供給線６及び中継層４０の各々と電気的に接続される。即ち、第１ゲート配線部分７０１ａ及び第２ゲート配線部分７０１ｂは、コンタクトホール８３及び８６並びに中継層４０を介して互いに電気的に接続される。
【００５２】
また、引出配線３２０において、トランジスタ７１に向かって（言い換えれば、Ｙ方向に沿って）分岐された画像信号線部分３２０ａは、図６において絶縁層１５に開孔されたコンタクトホール８５を介してソース配線７０３と電気的に接続される。尚、第２ゲート配線部分７０１ｂ及び引出配線３２０と該第２ゲート配線部分７０１ｂ及び引出配線３２０より上層側の図示しない導電層とは、絶縁層１７により層間絶縁される。
【００５３】
本実施形態では、各トランジスタ７１について、第２ゲート配線部分７０１ｂ及び画像信号線部分３２０ａは互いに同一層に配置され、同一方向（即ち、Ｙ方向）に沿って近接して並走するように配置されている。尚、図５又は図６に示す構成に限定されず、例えば第２ゲート配線部分７０１ｂ及び画像信号線部分３２０ａは互いに異なる層に配置されるようにしてもよい。
【００５４】
各トランジスタ７１について、第２ゲート配線部分７０１ｂ及び画像信号線部分３２０ａを比較すれば、図５に示すように、画像信号線部分３２０ａの幅ｄ１は第２ゲート配線部分７０１ｂの幅ｄ２よりも広くなるように形成されている。よって、画像信号線部分３２０ａを第２ゲート配線部分７０１ｂと同等の幅で形成する場合と比較して、画像信号線部分３２０ａの配線抵抗をより低くすることが可能となる。従って、同一層において互いに近接して並走する第２ゲート配線部分７０１ｂとの間の電気的な悪影響を、画像信号線部分３２０ａにおいてより低減することができる。
【００５５】
従って、２つのトランジスタ７１の各々について、画像信号線部分３２０ａに供給される画像信号ＶＩＤ（ｍ）に、選択信号Ｓｅｌ１及びＳｅｌ２の各々の系列毎にノイズを低減することができ、表示画面において顕著に視認されない程度に系列スジを低減することが可能となる。
【００５６】
また、図５及び図６において、データ線群６ａｇと対応する４個のトランジスタ７１のうち２つのトランジスタ７１に着目して説明したが、この２つのトランジスタ７１と同様に好ましくは他の２つのトランジスタ７１についても構成されるようにしてもよい。従って、他の２つのトランジスタ７１についても、画像信号線部分３２０ａにおける画像信号ＶＩＤ（ｍ）に、選択信号Ｓｅｌ３及びＳｅｌ４の各々の系列毎にノイズを低減することができる。
【００５７】
従って、以上説明したような液晶装置１００によれば、ハイブリッド方式により高品質な画像を表示することが可能となる。
【００５８】
尚、デマルチプレクサ７における複数のトランジスタ７１について、選択信号Ｓｅｌ１〜Ｓｅｌ４の４系列のうち、系列スジが顕著となる系列に対応するトランジスタ７１のみについて、第２ゲート配線部分７０１ｂ及び画像信号線部分３２０ａを上述したように形成するようにしてもよい。この場合においては、より容易で且つ効果的に系列スジを低減することができる。
【００５９】
次に、上述した電気光学装置である液晶装置を各種の電子機器に適用する場合について説明する。ここに図７は、プロジェクタの構成例を示す平面図である。以下では、この液晶装置をライトバルブとして用いたプロジェクタについて説明する。
【００６０】
図７に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【００６１】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【００６２】
尚、図７を参照して説明した電子機器の他にも、モバイル型のパーソナルコンピュータや、携帯電話、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【００６３】
また、本発明は上述の各実施形態で説明した液晶装置以外にも反射型液晶装置（ＬＣＯＳ）等にも適用可能である。
【００６４】
本発明は、上述した実施形態に限られるものではなく、請求の範囲及び明細書全体から読み取れる発明の要旨或いは思想に反しない範囲で適宜変更可能であり、そのような変更を伴う電気光学装置及び電子機器もまた本発明の技術的範囲に含まれるものである。
【図面の簡単な説明】
【００６５】
【図１】液晶装置の全体構成を示す平面図である。
【図２】図１のＨ−Ｈ´線での断面図である。
【図３】本実施形態に係る液晶装置の電気的な構成を示す回路図である。
【図４】デマルチプレクサにおける一のデータ線群に対応するトランジスタに着目して、その構成をより詳細に示す回路図である。
【図５】互いに隣接する２つのトランジスタの構成を示す平面図である。
【図６】図５のＡ−Ａ’断面図である。
【図７】液晶装置を適用した電子機器の一例たるプロジェクタの構成を示す平面図である。
【符号の説明】
【００６６】
６…選択信号供給線、６ａ…データ線、９ａ…画素電極、７…デマルチプレクサ、１０…素子基板、１０ａ…画像表示領域、１１ａ…走査線、７１…トランジスタ、３２０ａ…画像信号線部分、７０１ｂ…第２ゲート配線部分
【図１】
0005228517.tif 000002
【図２】
0005228517.tif 000003
【図３】
0005228517.tif 000004
【図４】
0005228517.tif 000005
【図５】
0005228517.tif 000006
【図６】
0005228517.tif 000007
【図７】
0005228517.tif 000008